(57)【要約】  【課題】  仕切片の製作に複雑な金型を必要とせず組立が容易であり、使用しないときは組み合わせた状態のまま扁平に折り畳むことのできる仕切枠を提供する。  【解決手段】  短冊状の板片の幅方向中央部に支持部を残すようにして向かい合った二つの長辺から直角方向に伸びる同一直線上の一対の切り込み部を複数形成した第一仕切片と、短冊状の板片の幅方向中央部に長辺と平行で第一仕切片の短辺が挿通する差し込み部を複数形成した第二仕切片とを備えた仕切板であって、差し込み部の長手方向は第二仕切片の長辺と平行であり、かつ、差し込み部の中央部には、第一仕切片の支持部が差し込み部の長手方向と同じ水平位置から一方向のみに回動して垂直位置で停止できる円弧状切り欠き部を有する。【選択図】 図１
2006264694.tif 000002
【特許請求の範囲】
【請求項１】
短冊状の板片の幅方向中央部に支持部を残すようにして向かい合った二つの長辺から直角方向に伸びる同一直線上の一対の切り込み部を複数形成した第一仕切片と、短冊状の板片の幅方向中央部に長辺と平行で前記第一仕切片の短辺が挿通する差し込み部を複数形成した第二仕切片とを備えた仕切枠であって、前記差し込み部の長手方向は第二仕切片の長辺と平行であり、かつ、前記差し込み部の中央部には、前記第一仕切片の前記支持部が前記差し込み部の長手方向と同じ水平位置から一方向のみに回動して垂直位置で停止できる円弧状切り欠き部を有していることを特徴とする仕切枠。  
【請求項２】
短冊状の板片の幅方向中央部に支持部を残すようにして向かい合った二つの長辺から直角方向に伸びる同一直線上の一対の切り込み部を複数形成した第一仕切片と、短冊状の板片の幅方向中央部に長辺と平行で前記第一仕切片の短辺が挿通する差し込み部を複数形成した第二仕切片とを備えた仕切枠であって、前記差し込み部の長手方向が第二仕切片の長辺と平行ではなく、かつ、前記差し込み部の中央部には、前記第一仕切片の前記支持部が一方向のみに回動して垂直位置で停止できる鋭角の中心角からなる円弧状切り欠き部を有していることを特徴とする仕切枠。
【請求項３】
前記円弧状切り欠き部の差し渡しは少なくとも水平位置と垂直位置とで前記支持部の全長と略同一寸法であり、前記円弧状切り欠き部の垂直位置で前記支持部の位置決めとなる戻り止め部を形成したことを特徴とする請求項１又は２に記載の仕切枠。
【請求項４】
前記第一仕切片の切り込み部は、閉塞端部から解放端部へかけて末広がりとしたＶ字状であることを特徴とする請求項１又は２に記載の仕切枠。
【発明の詳細な説明】
【技術分野】
【０００１】
この発明は、所定の空間を多数の小部屋に仕切るために使用される仕切枠に関するものであり、より詳しくは、二種類の仕切板を井桁状に組み合わせて仕切枠を完成させ、使用しないときは組み合わせた状態のまま扁平に折り畳むことのできる仕切枠に関するものである。
【背景技術】
【０００２】
従来から、包装容器やその他の所定の空間を多数の小部屋に仕切るための仕切枠は、短冊状の長辺の一辺から幅方向中央部まで直角方向に向かう切欠溝を複数形成した同一形状の仕切片を複数枚使用し、それぞれの仕切片の切欠溝同士を十字クロス状に差し込むことにより縦横が直角に交わる井桁状の仕切枠が組み立てられていた。
【０００３】
しかしながら、このような従来の井桁状の仕切枠は、一直線状の切欠溝同士を切欠溝に沿って組み合わせたものであるから、包装容器やその他の所定の空間内にセットするときに縦横の仕切片が十字クロスの箇所で簡単に外れてしまい、一方の仕切片が他方の仕切片から脱落してしまうことがあり、所定の空間内に必要な数の小部屋を作ることができないことがあった。
【０００４】
そのため、一部では、切欠溝の形状を変えることで十字クロスの箇所で仕切片が簡単に外れることがない仕切枠も提案されている（たとえば、特許文献１を参照）。
【０００５】
図９は、仕切片が簡単に外れることのない従来の仕切枠の一例を示した分解斜視図である。
【０００６】
短冊状の仕切片２０の長辺の一方側から等間隔を維持した鉤型切り込み部２１を複数形成し、この鉤型切り込み部２１に連接して、仕切片２０の厚みと等しい幅を有する差し込み部２２を設けている。鉤型切り込み部２１と対向して長辺の他方側に等間隔を維持し仕切片２０の厚みよりも大きな幅を有する逃げ用切り欠き部２３を鉤型切り込み部２１と同数設けることにより差し込み部２２との間に支持部２４を形成している。切り込み深さｈと逃げ深さＨは同じ寸法に設定されている。
【０００７】
このような同一形状をした複数の仕切片２０を互いに上下対向させて、鉤型切り込み部２１を上方にした上部仕切片２０ａと鉤型切り込み部２１を下方にした下部仕切片２０ｂの両者の鉤型切り込み部２１を互いに開き、その間隙より上部仕切片２０ａの支持部２４を下部仕切片２０ｂの差し込み部２２へ位置するまで差し入れ、次いで下部仕切片２０ｂの鉤型切り込み部２１を元の状態へ戻し、下部仕切片２０ｂが上部仕切片２０ａの差し込み部２２に位置した後、上部仕切片２０ａの鉤型切り込み部２１を元の状態へ戻すことで、井桁状の仕切枠２５が完成する。
【０００８】
以上のような従来の仕切枠にあっては、上部仕切片２０ａと下部仕切片２０ｂが確実に把持し合っているので、いずれかの仕切片２０の一部を引っ張ったとしても組み合わせが外れることもなく、仕切片２０の厚みよりも大きな幅を有する逃げ用切り欠き部２３を設けているため、十字クロス部で嵩張ることもなく扁平に折り畳むことができる。    
【特許文献１】実開昭６０−１４８２３２号公報
【発明の開示】
【発明が解決しようとする課題】
【０００９】
しかしながら、この従来の仕切枠にあっては、組立の際に鉤型切り込み部を開いたり閉じたりする操作を必要とするため、組立が面倒で組立不良を生じることがあった。また、仕切片に鉤型切り込み部、差し込み部、逃げ用切り欠き部といったそれぞれ違った形状の切り欠きや開口部を形成しなければならず、複雑な成形金型を必要とすることから製造コストが高くなるといった問題があった。
【００１０】
そこで、この発明は、上記の従来の仕切枠における問題点を解決すべく、仕切片の製作に複雑な金型を必要とせず組立が容易であり、使用しないときは組み合わせた状態のまま扁平に折り畳むことのできる仕切枠を提供することを課題とする。
【課題を解決するための手段】
【００１１】
上記課題を達成するため、請求項１に記載の発明は、短冊状の板片の幅方向中央部に支持部を残すようにして二つの長辺から直角方向に伸びる同一直線上の一対の切り込み部を複数形成した第一仕切片と、短冊状の板片の幅方向中央部に長辺と平行で前記第一仕切片の短辺が挿通する差し込み部を複数形成した第二仕切片とを備えた仕切枠であって、前記差し込み部の長手方向は第二仕切片の長辺と平行であり、かつ、前記差し込み部の中央部には、前記第一仕切片の前記支持部が前記差し込み部の長手方向と同じ水平位置から一方向のみに回動して垂直位置で停止できる円弧状切り欠き部を有していることを特徴としている。  
【００１２】
請求項２に記載の発明は、短冊状の板片の幅方向中央部に支持部を残すようにして二つの長辺から直角方向に伸びる同一直線上の一対の切り込み部を複数形成した第一仕切片と、短冊状の板片の幅方向中央部に長辺と平行で前記第一仕切片の短辺が挿通する差し込み部を複数形成した第二仕切片とを備えた仕切枠であって、前記差し込み部の長手方向が第二仕切片の長辺と平行ではなく、かつ、前記差し込み部の中央部には、前記第一仕切片の前記支持部が一方向のみに回動して垂直位置で停止できる鋭角の中心角からなる円弧状切り欠き部を有していることを特徴としている。
【００１３】
請求項３に記載の発明は、請求項１又は２に記載の構成に加えて、前記円弧状切り欠き部の差し渡しは少なくとも水平位置と垂直位置とで前記支持部の全長と略同一寸法であり、前記円弧状切り欠き部の垂直位置で前記支持部の位置決めとなる戻り止め部を形成したことを特徴としている。
【００１４】
請求項４に記載の発明は、請求項１又は２に記載の構成に加えて、前記第一仕切片の切り込み部は、閉塞端部から解放端部へかけて末広がりとしたＶ字状であることを特徴としている。
【発明の効果】
【００１５】
この発明は以上のような構成を有するため、請求項１に記載の発明によれば、第一仕切片の切り込み部も第二仕切片の差し込み部と円弧状切り欠き部とで構成される打ち抜き部も、それぞれ線対称形状であるから仕切片の製作に要する金型の製作が容易となる。また、第二仕切片の差し込み部に第一仕切片を差し込んで第一仕切片の支持部を第二仕切片の円弧状切り欠き部で回動させるだけで仕切枠の組立が完了するので、組立が容易である。また、第二仕切片の円弧状切り欠き部の垂直位置に第一仕切片の支持部がある直立状態のままで第一仕切片が第二仕切片に対して垂直軸を中心とした回動自在な状態となっているから、使用しないときは組み合わせた状態のまま扁平に折り畳むことができる。
【００１６】
請求項２に記載の発明によれば、請求項１に記載の発明の効果に加えて、差し込み部の長手方向が第二仕切片の長辺と平行でなく、かつ、第一仕切片の支持部が一方向のみに回動して垂直位置で停止できる鋭角の中心角からなる円弧状切り欠き部を有しているから、第二仕切片に第一仕切片を差し込んで第二仕切片を直立状態にするまでの回動量が小さくて済むため、より組立が迅速かつ容易となる。また、差し込み部を斜めに形成したことで、その分だけ差し込み部同士のピッチとこれに対応する第一仕切片の切り込み部同士のピッチとを小さくすることが可能となり、結果として、第一仕切片と第二仕切片とで仕切られる空間を小さくすることができるから、小さな内容物を多数収納することができる仕切枠を提供することができる。
【００１７】
請求項３に記載の発明によれば、請求項１又は２に記載の発明の効果に加えて、第一仕切片の支持部を第二仕切片の差し込み部に差し込んで円弧状切り欠き部の垂直位置まで回動すると、支持部が戻り止め部を通過して垂直位置で固定されるから、第一仕切片と第二仕切片との組み合わせが外れることがなくなるため、所定の空間内に出し入れする際の扁平状態への折り畳みと井桁状への組立との繰り返し作業において組立不良を発生のない信頼性の高い仕切枠を提供できる。
【００１８】
請求項４に記載の発明によれば、請求項１又は２に記載の発明の効果に加えて、第一仕切片の支持部を第二仕切片の円弧状切り欠き部で回動させる際に、第二仕切片と第一仕切片とが正確に直交した状態でなくとも第一仕切片の切り込み部の解放端部が差し込み部に衝突せずに回動できるため、より組立が容易となる。また、第二仕切片の円弧状切り欠き部の垂直位置に第一仕切片の支持部がある直立状態のままで第一仕切片が第二仕切片に対して垂直軸を中心として回動させる際に第一仕切片の切り込み部の解放端部が第二仕切片の板面を押圧することがなくなるため、より小さな力で折り畳むことができる。
【発明を実施するための最良の形態】
【００１９】
以下、この発明の実施の形態について、図面を参照しながら詳細に説明する。
［発明の実施の形態１］  
【００２０】
まず、この発明の実施の形態１に係る仕切枠の構成について説明する。
【００２１】
図１はこの発明の実施の形態１に係る仕切枠の第一仕切片の正面図であり、図２は同じく第一仕切片の別の態様を示した正面図である。図３は、この発明の実施の形態１に係る仕切枠の第二仕切片の正面図である。
【００２２】
図１に示した第一仕切片１は、短冊状をした板片２の幅方向中央部に支持部３を残すようにして、向かい合っている二つの長辺４，４から直角方向に伸びる同一直線上の一対の切り込み部５，５を複数形成している。切り込み部５の深さは、必要とされる支持部３の強度によって決定されるが、後述する第二仕切片６と第一仕切片１との幅寸法（短辺の寸法）を同じとした場合には、切り込み部５の深さと支持部３の長さとを同じにすると、設計が容易であると共に第一仕切片１の強度と第二仕切片６の強度とをバランスよく保つことができて都合がよい。なお、図示した切り込み部５の解放角部７及び閉塞角部８は直角形状としているが、応力集中を防止するため丸みを設けて耐久性を向上させるようにしてもよい。
【００２３】
また、切り込み部５の形状は矩形に限らず、図２に示したように、閉塞端部８から解放端部７へかけて末広がりとしたＶ字状にしてもよい。これによれば、第一仕切片１の支持部３を水平軸Ｓを中心として第二仕切片６の円弧状切り欠き部１３で回動させる際に、第二仕切片６と第一仕切片１とが平面から見て正確に直交した状態でなくとも第一仕切片１の切り込み部５の解放端部７が差し込み部１２に衝突せずに回動できるため、組立に手間取ることがなくなり組立が容易となる。また、第二仕切片６の円弧状切り欠き部１３の垂直位置Ｙに第一仕切片１の支持部３がある直立状態のままで第一仕切片１が第二仕切片６に対して垂直軸Ｃを中心として回動させる際に第一仕切片１の切り込み部５の解放端部７が第二仕切片６の板面を押圧することがなくなるため、より小さな力で折り畳むことができる。
【００２４】
図３に示した第二仕切片６は、短冊状をした板片９の幅方向中央部に向かい合っている二つの長辺１０，１０と平行で第一仕切片１の短辺１１が挿通する差し込み部１２を複数形成している。差し込み部１２の幅は第一仕切片１の厚みと等しく、その長さは第一仕切片１の短辺１１の寸法より僅かに大きければよい。
【００２５】
実施の形態１では、差し込み部１２の長手方向は第二仕切片６の長辺１０と平行としている。また、差し込み部１２の中央部には、第一仕切片１の支持部３が差し込み部１２の長手方向と同じ水平位置Ｘから一方向のみに回動して垂直位置Ｙで停止できる円弧状切り欠き部１３を有しており、円弧状切り欠き部１３の中心角αは略直角としている。
【００２６】
円弧状切り欠き部１３の直径（差し渡し）は第一仕切片１の支持部３の全長とほぼ同じ値に設定するとよいが、第一仕切片１と第二仕切片６とを紙又は樹脂材料で製作する場合には、円弧状切り欠き部１３と支持部３との接触部が変形し易いことから、円弧状切り欠き部１３の直径（差し渡し）を支持部３の全長より僅かに小さい値に設定するとよい。これにより、組立時に第一仕切片１の水平軸Ｓを中心にして回動する際に多少の力を要するが、組立完成時には垂直位置Ｙから元に戻し難くなるから、無理矢理外そうとしない限り第一仕切片１と第二仕切片６とが外れないため、組立不良が防止されより使い勝手がよいものとなる。
【００２７】
さらに、図４に示したように、円弧状切り欠き部１３の円弧の中心を差し込み部１２の中心と一致させずに、円弧状切り欠き部１３の差し渡しを水平位置Ｘで支持部３の全長と略一致させて垂直位置Ｙに行くに従って次第に小さくなるように設定し垂直位置Ｙで再び支持部３の全長と略一致させるように設定して、支持部３の戻りを防止する戻り止め部１４が形成されるようにしてもよい。また、図５に示したように、円弧状切り欠き部１３の差し渡しを水平位置Ｘから垂直位置Ｙまで支持部３の全長と略一致させるように設定して、垂直位置Ｙで支持部３が位置決めされるように支持部３の戻りを防止する凸状の戻り止め部１４を形成するようにしてもよい。
【００２８】
図４又は図５に示したように、円弧状切り欠き部１３に戻り止め部１４を形成した場合には、第一仕切片１の水平軸Ｓを中心にして支持部３を水平位置Ｘから垂直位置Ｙへ回動する際に、垂直位置Ｙの直前で戻り止め部１４を支持部３の外周部が乗り越えて、垂直位置Ｙでは支持部３自体の弾性復元力により支持部３の全長が初期の寸法近くまで戻ることになる。そのため、戻り止め部１４が支持部３が水平方向へ戻ろうとする動きを制止して支持部３を垂直位置Ｙに留めることとなるから、第一仕切片１と第二仕切片６とが簡単に外れることがなくなるため、所定の空間内に出し入れする際の扁平状態への折り畳み作業と井桁状への組立作業との繰り返し作業において組立不良を発生することのない信頼性の高い仕切枠１５を提供できる。
【００２９】
次に、この発明の実施の形態１に係る仕切枠の作用について説明する。
【００３０】
図６はこの発明の実施の形態１に係る仕切枠を組み立てた状態を示す斜視図であり、図７はこの発明の実施の形態１に係る仕切枠を組み立てた状態の円弧状切り欠き部と支持部の関係を示した要部断面図である。
【００３１】
第一仕切片１と第二仕切片６とを組み合わせて縦横が直角に交わる井桁状の仕切枠１５を完成させるには、まず、第二仕切片６の差し込み部１２に第一仕切片１の短辺１１を差し込んで第一仕切片１の支持部３を第二仕切片６の円弧状切り欠き部１３の位置まで持っていく。次に、その位置で、第一仕切片１の支持部３が第二仕切片６の円弧状切り欠き部１３側に傾くように第一仕切片１を水平軸Ｓを中心として回動させて、支持部３を垂直位置Ｙに一致させることで、図４に示したような縦横に第一仕切片１と第二仕切片６とが直交した井桁状の仕切枠１５が完成する。
【００３２】
図６に示したように、仕切枠１５を組み立てた状態では第二仕切片８の円弧状切り欠き部１３の垂直位置Ｙに第一仕切片１の支持部３があり、この状態で縦横に直交する井桁状の仕切枠１５の形態を崩すように井桁形状を菱形になるように押し潰す力を加えると、第一仕切片１の支持部３が第二仕切片６の円弧状切り欠き部１４の垂直位置Ｙを中心として第二仕切片６の表面側又は裏面側に回り込むようにして垂直軸Ｃを中心として回動することになり、最終的には第一仕切片１と第二仕切片６との平面部同士が接触して扁平状態に折り畳まれる。
【００３３】
実施の形態１に係る仕切枠１５にあっては、第一仕切片１の切り込み部５も第二仕切片６の差し込み部１２と円弧状切り欠き部１３とで構成される打ち抜き部も、それぞれ線対称形状であるから第一仕切片１と第二仕切片６の製作に要する金型を製作が容易となる。また、第二仕切片６の差し込み部１２に第一仕切片１を差し込んで第一仕切片１の支持部３を第二仕切片６の円弧状切り欠き部１３で回動させるだけで仕切枠１５の組立が完了するので、組立が容易である。また、第二仕切片６の円弧状切り欠き部１３の垂直位置Ｙに第一仕切片１の支持部３がある直立状態のままで第一仕切片１が第二仕切片６に対して垂直軸Ｓを中心とした回動自在な状態となっているから、使用しないときは組み合わせた状態のまま扁平に折り畳むことができる。
［発明の実施の形態２］  
【００３４】
次に、この発明の実施の形態２に係る仕切枠の構成について説明する。
【００３５】
図８は、この発明の実施の形態２に係る仕切枠の第二仕切片の正面図である。
【００３６】
この発明の実施の形態２に係る仕切枠１５は、差し込み部１２の配置が実施の形態１と異なっている。
【００３７】
差し込み部１２の長手方向が第二仕切片６の長辺１０と平行ではなく、つまり、水平位置Ｘからやや傾いた状態に形成されている。また、差し込み部１２の中央部の円弧状切り欠き部１３の中心角αが鋭角となっている。図８に示した例では、円弧状切り欠き部１３の中心角αを約４５度としているが、これに限らず、中心角αは０度を超え９０度未満の範囲であって、差し込み部１２の先端部が第二仕切片６の幅寸法（短辺の寸法）を越えることのない配置に設定すればよい。
【００３８】
実施の形態２では、差し込み部１２の長手方向が第二仕切片６の長辺１１と平行でなく、かつ、第一仕切片１の支持部３が一方向のみに回動して垂直位置で停止できる鋭角の中心角αからなる円弧状切り欠き部１３を有しているから、第二仕切片６に第一仕切片１を差し込んで第二仕切片６を直立状態にするまでの回動量が小さくて済むため、実施の形態１に比較してより組立が迅速で容易となる。
【００３９】
さらに、差し込み部１２を斜めに形成したことで、差し込み部１２の第二仕切片６の長手方向に沿った寸法が短くなったので、その分だけ差し込み部１２同士のピッチとこれに対応する第一仕切片１の切り込み部５同士のピッチとを小さくすることが可能となり、結果として、第一仕切片１と第二仕切片６とで仕切られる空間を小さくすることができるから、限られた空間により多くの小部屋を設けることができる。
したがって、実施の形態２では、実施の形態１に比べて小さな内容物を多数収納することができる仕切枠を提供することができる。
【００４０】
実施の形態２のその他の構成や作用については、実施の形態１と同様であるので、同一の構成には同一の符号を付してその説明を省略する。
【図面の簡単な説明】
【００４１】
【図１】この発明の実施の形態１に係る仕切枠の第一仕切片の正面図である。
【図２】同実施の形態１に係る仕切枠の第一仕切片の別の態様を示した正面図である。
【図３】同実施の形態１に係る仕切枠の第二仕切片の正面図である。
【図４】同実施の形態１に係る仕切枠の第二仕切片の別の態様を示した要部拡大正面図である。
【図５】同実施の形態１に係る仕切枠の第二仕切片のさらに別の態様を示した要部拡大正面図である。
【図６】同実施の形態１に係る仕切枠を組み立てた状態を示した斜視図である。
【図７】同実施の形態１に係る仕切枠を組み立てた状態の円弧状切り欠き部と支持部の関係を示した要部断面図である。
【図８】同実施の形態２に係る仕切枠の第二仕切片の正面図である。
【図９】従来の仕切枠を示した分解斜視図である。
【符号の説明】
【００４２】
１  第一仕切片
３  支持部
４、１０  長辺
５  切り込み部
６  第二仕切片
１１  短辺
１２  差し込み部
１３  円弧状切り欠き部
１４  戻り止め部
１５  仕切枠
Ｃ  垂直軸
Ｓ  水平軸
Ｘ  水平位置
Ｙ  垂直位置
α  中心角
【図１】
2006264694.tif 000003
【図２】
2006264694.tif 000004
【図３】
2006264694.tif 000005
【図４】
2006264694.tif 000006
【図５】
2006264694.tif 000007
【図６】
2006264694.tif 000008
【図７】
2006264694.tif 000009
【図８】
2006264694.tif 000010
【図９】
2006264694.tif 000011